(57)【要約】【課題】樹脂チューブの簡易で確実な連結構造。【解決手段】樹脂チューブ１の両端に第１、第２のコネクタ２，３を差し込んでおき、樹脂チューブ１の両端に栓部材４，５を押し込み、第１、第２のコネクタ２，３に対して樹脂チューブ１の端部を引き込み、樹脂チューブ１の一端に第１コネクタ２を取付け、他端に第２のコネクタ３を取り付ける。第１のコネクタ２は結合用突出部６を有し、第２コネクタ３は結合用受入部９を有する。結合用受入部９に結合用突出部６を嵌合して樹脂チューブ１の第１コネクタ２と第２コネクタ３を結合させる。連結構造は一本の樹脂チューブをリング状に連結してリングチューブとする場合と直線状に一連に連結する場合とがある。【選択図】図２
0003155332.tif 000002
【実用新案登録請求の範囲】
【請求項１】
素材に弾力と可撓性を有する樹脂チューブと、第１コネクタと栓部材及び第２コネクタと栓部材とを備え、
第１コネクタは先端に結合用突出部を有すると共に軸方向に樹脂チューブよりも太い貫通路を有する筒型であり、貫通路の後端に貫通路の直径をほぼ樹脂チューブの外径まで狭める狭隘部を形成してあり、
第２コネクタは先端に結合用受入部を有すると共に軸方向に樹脂チューブよりも太い貫通路を有する筒型であり、貫通路の後端に貫通路の直径をほぼ樹脂チューブの外径まで狭める狭隘部を形成してあり、
栓部材は、円錐台形状であって、先端の大径部は樹脂チューブの外径にほぼ等しく、後端の小径部は樹脂チューブの内径にほぼ等しくしてあり、
樹脂チューブの一端に栓部材をその後端側から押し込み、第１コネクタに樹脂チューブを貫通させて強く引くことにより栓部材と狭隘部との間に樹脂チューブの一端を係合させて樹脂チューブの一端に第１コネクタを取付け、
樹脂チューブの他端に栓部材をその後端側から押し込み、第２コネクタに樹脂チューブを貫通させて強く引くことにより栓部材と狭隘部との間に樹脂チューブの他端を係合させて樹脂チューブの他端に第２コネクタを取付け、
第１コネクタの結合用突出部を第２コネクタの結合用受入部に嵌合して第１と第２のコネクタを結合してあることを特徴とした素材に弾力と可撓性を有する樹脂チューブの連結構造。
【請求項２】
複数本の樹脂チューブを一連に形成していることを特徴とした請求項１に記載の連結構造。
【請求項３】
一本の樹脂チューブをリングに連結し、リングチューブを形成していることを特徴とした請求項１に記載の連結構造。
【請求項４】
チューブの内部に装飾物あるいはエネルギー鉱石を封入し、装身具とした請求項３に記載の連結構造を備えたリングチューブ。
【考案の詳細な説明】
【技術分野】
【０００１】
本考案は、シリコン樹脂チューブなどに代表される素材に弾力と可撓性を有する樹脂チューブ（以下、単に樹脂チューブという）の端部同士を連結する構造に関する。
【背景技術】
【０００２】
チューブ、ホース、管類の連結構造には、連結箇所における一方から他方への流通を前提に簡易な接続操作や強固な接続状態などを目的に開発されているものが多い（特許文献１，２）。その固定手段の多くは、テーパー面を備えた移動駒とねじなどの押し込み手段を備え、連結のための部材内面とチューブなどの外面との間に移動駒を押し込んで摩擦により固定する構造を基本としている。そして、気密・水密を維持するためにパッキンやシール材を有し、また、安定した連結状態とするための種々な構造を備えて複雑な構造となっている。
【０００３】
一方、樹脂チューブは、内部を通じて流体を導通させるためばかりではなく、紐、ロープなどと同じ用途に使用されることがある。この場合にも、延長や端部結合のために、端部同士を連結するための構造を必要とするが、内部に流体を導通させるなどのことはないので、前記のような精密な連結構造は必要としない。しかしながら、簡易であって確実に結合できる連結構造が要求される。
従来技術として、国際分類Ｆ１６Ｌ３/００、３７/００、４７/００その他を調査したが、樹脂チューブを連結するための簡易な連結構造として適切なものは見出せない。
【先行技術文献】
【特許文献】
【０００４】
【特許文献１】特開２００１−３１７６７７号公報
【特許文献２】特開２００３−２２２２７８号公報
【考案の概要】
【考案が解決しようとする課題】
【０００５】
素材に弾力と可撓性を有する樹脂チューブの端部同士を簡単に、かつ、確実に連結できる連結構造の提供。
【課題を解決するための手段】
【０００６】
チューブは樹脂チューブとする。
さらに、第１、第２のコネクタと栓部材を備え、樹脂チューブの一端に栓部材を押し込んで樹脂チューブを第１コネクタに貫通させ、樹脂チューブの一端を栓部材と共に第１のコネクタに係合させて第１コネクタを樹脂チューブに取付ける。樹脂チューブの他端にも同様にして第２のコネクタを取り付ける。第１のコネクタには結合用の突出部があり、第２のコネクタには結合用の受入部がある。第１コネクタの結合用突出部を第２コネクタの結合用受入部に嵌合して樹脂チューブの一端と他端を連結する。
一端と他端の連結には、一本の樹脂チューブをリングに連結する場合と複数の樹脂チューブを長く一連に連結する場合がある。
【考案の効果】
【０００７】
樹脂チューブの一端に栓部材を押し込み、樹脂チューブを第１、第２のコネクタに貫通させて強く引くだけで第１、第２のコネクタと樹脂チューブを係合させることができる。このため、チューブに対する第１、第２コネクタの取り付けが極めて簡単である。
連結構造が簡素であることに加え、樹脂チューブは栓部材と第１、第２コネクタの狭隘部との間にくびれた格好で係合されるので、係合状態が強固であると共に安定している。
【図面の簡単な説明】
【０００８】
【図１】第１、第２のコネクタを取付けた状態で示した斜視図。
【図２】第１、第２コネクタの部分を断面にして示す斜視図（取り付け前）。
【図３】第１、第２コネクタの部分を断面にして示す斜視図（取り付け後）。
【図４】連結状態を示す斜視図。
【図５】栓部材の他の実施例。
【図６】リングに連結したチューブの利用例。
【考案を実施するための形態】
【実施例１】
【０００９】
図１はリング状に配置した樹脂チューブ１とその一端に取付けた第１コネクタ２、他端に取付けた第２コネクタ３を示しており、樹脂チューブ１の両側の端部には栓部材４，５（図２）が押し込まれている。これらで樹脂チューブの連結構造を構成する。
樹脂チューブ１は、この実施例において、内径が５ｍｍ、外形が７ｍｍしたがって肉厚が１ｍｍであって、素材は透明なシリコンゴムである。素材としてのシリコンゴムは硬度約５０°（デュロメーター）で弾力と可撓性を有する。
【００１０】
第１コネクタ２（図２）は、樹脂チューブ１と同程度か少し固めのシリコンゴムの成形品であり、先端に結合用突出部６を有すると共に軸方向に樹脂チューブ１よりも太い貫通路７を有する筒型である。第１コネクタ２は、貫通路７の後端箇所に貫通路７をほぼ樹脂チューブ１の外径まで狭める狭隘部８を有している。
第２コネクタ３は、第１コネクタ２と同じ素材で成形され、筒型で軸方向に樹脂チューブ１よりも太い貫通路１０を有する。第２コレクタ３の先端部は結合用受入部９に形成され、後端部は、貫通路１０の後端箇所に貫通路１０の直径をほぼ樹脂チューブ１の外径まで狭める狭隘部１１が形成されている。
【００１１】
結合用突出部６は軸方向の途中に環状の突部１２を有し、結合用受入部９の内面であって軸方向の中間には環状の凹部１３が形成されている。結合用突出部６を結合用受入部９に押し込むと前記環状の凹部１３に環状の突部１２が嵌まり、第１コネクタ２と第２コネクタ３は簡単には外れなくなる。
栓部材４，５は、この実施例において、第１コネクタ２と同じ素材で形成され、全体が細長い円錐台形となっている。先端の大径部は樹脂チューブ１の外径にほぼ等しく、後端の小径部は樹脂チューブの内径にほぼ等しくしてある。
【００１２】
以上の部材からなり、まず、第１コネクタ２と第２コネクタ３を樹脂チューブ１の一端と他端に差込み貫通させておき、ついで、樹脂チューブの一端に栓部材４をその小径な後端側から押し込み、同様に樹脂チューブ１の他端に栓部材５を押し込んでおく。そして、第１コネクタ２に対して樹脂チューブ１の一端を強く引き込み（図３）、栓部材４と狭隘部８との間に樹脂チューブ１の一端を係合させる。これにより、樹脂チューブ１の一端に第１コネクタ２が取付けられる（図３）。
次いで、樹脂チューブ１の他端についても同様に、第２コネクタ３に対して樹脂チューブ１の他端を強く引き込み、栓部材５と狭隘部１１との間に樹脂チューブ１の他端を係合させる。これにより、樹脂チューブ１の他端に第２コネクタが取付けられる（図３）。
これらの取り付け状態は、図３のように、第１、第２コネクタ２，３の内部で樹脂チューブ１が、栓部材４、５と第１、第２コネクタ２，３の内面との間にくびれた状態で挟着されるので、取り付け状態は強固で、かつ、安定したものとなっている。
【００１３】
そして、樹脂チューブ１をリング状に丸めながら、第１コネクタ２の結合用突出部６を第２コネクタ３の結合用受入部９に嵌合して第１と第２のコネクタ２，３を結合する。これによって、樹脂チューブ１の連結構造が完成する（図４（イ））。
連結構造は、図４（イ）のようにリング状となる場合と同図（ロ）のように、直線状に連続する場合とがある。リング状の場合はストラップや装身具として利用することができる。一連に連続させる場合は、装飾的なロープの代替品などとして利用できる。
【００１４】
図５は、この発明の使用例であって、樹脂チューブ１をリング状に連結してリングチューブとしその内部にきらきらと輝く小さなボール（装飾物）を封入したものである。小さなボールは合成樹脂に金を蒸着したものなどであるが、リング状に連結する前に樹脂チューブ１中に装填し、樹脂チューブ１の両端に栓部材４，５を押し込むことで封入される。
装飾物として種々のものを利用できるので、好みに合ったネックレスやブレスレットなどの装身具とすることができる。樹脂チューブ１に封入するものは装飾物ばかりでなく、ゲルマニウム鉱石の細砕石（砂）など、いわゆるエネルギー鉱石の細砕石などを利用することもできる。
【００１５】
栓部材４、５は軸方向に貫通した流通孔１４を有したものであってもよい。この場合は第１、第２のコネクタ２，３が結合されている部分を通じて左右の樹脂チューブ１に流体を移動させることができる。長いチューブを準備しなくても両端に第１コネクタ２と第２コネクタ３を取付けた短い樹脂チューブ１を複数本利用することで一本の長いチューブと同等の機能を発揮させることができる。狭い部屋でチューブを引き回す場合に便利である。
【符号の説明】
【００１６】
１  樹脂チューブ
２  第１コネクタ
３  第２コネクタ
４  栓部材
５  栓部材
６  結合用突出部
７  貫通路
８  狭隘部
９  結合用受入部
１０  貫通路
１１  狭隘部
１２  環状の突部
１３  環状の凹部
１４  流通孔
【図１】
0003155332.tif 000003
【図２】
0003155332.tif 000004
【図３】
0003155332.tif 000005
【図４】
0003155332.tif 000006
【図５】
0003155332.tif 000007
【図６】
0003155332.tif 000008